(57)【要約】【課題】  グループを構成する利用者に対して便宜を図ることができる情報記録式入場券を提供する。【解決手段】  入場券３０に対応して貸し出されたデジタルカメラ１０からの画像データと、入場券３０に内蔵された無線タグに記録された入場券ＩＤ情報，グループＩＤ情報，サブグループＩＤ情報，カメラＩＤ情報を対応づけて、画像送信端末２ａ,…,２ｎで画像サーバ３に送信し、その画像サーバ３に対して入場券３０に内蔵された無線タグからの入場券ＩＤ情報，グループＩＤ情報，サブグループＩＤ情報，カメラＩＤ情報に対応する画像データの送信を画像受信端末１ａ,…、１ｆ,６ａ,…,６ｎで要求し、その画像サーバ３から送信されてきた画像データを受信して、同一サブグループ内の各利用者に写真を提供する。【選択図】        図２
2006096014.tif 000002
【特許請求の範囲】
【請求項１】
外部と通信を行なって受信情報の記録および記録された情報の送信を行なう無線タグを内蔵した情報記録式入場券であって、
前記無線タグに、この入場券を特定する入場券ＩＤ情報を記録するとともに、複数の入場券により構成されるグループを特定するグループＩＤ情報を記録することを特徴とする情報記録式入場券。
【請求項２】
前記無線タグに、前記グループを構成する複数の入場券の中の一部の入場券により構成されるサブグループを特定するサブグループＩＤ情報を記録することを特徴とする請求項１記載の情報記録式入場券。
【発明の詳細な説明】
【技術分野】
【０００１】
本発明は、情報が記録される情報記録式入場券に関する。
【背景技術】
【０００２】
従来より、大型の娯楽施設であるテーマパーク等のアトラクション会場にカメラを設置しておき、そのアトラクション会場を利用する利用者の乗り物が到達したときに撮影を行ない、利用者がアトラクション会場の出口で撮影内容をモニタで確認して気に入った場合に、その利用者からの注文を受けて写真を提供するシステムが知られている。しかし、このシステムでは、利用者が写真撮影を希望するか否かに拘らず、一律に写真撮影が行なわれるため、無駄な写真撮影が行なわれるという問題がある。
【０００３】
そこで、娯楽施設の設備を利用する利用者が写真撮影を希望する場合、その利用者に入場券とは別に入場日や入場順序等の情報が記録された無線タグを渡しておき、利用者が所定の場所やアトラクション会場に近づいた時点で、その無線タグからの信号を受信し、受信した信号に基づいてカメラを操作して写真撮影を行なうシステムが提案されている（特許文献１参照）。このシステムによれば、写真撮影を希望する利用者のみに対して写真撮影が行なわれ、アトラクション会場や娯楽施設の退場時にその利用者に写真を提供することができる。
【特許文献１】特開２００２−４１７０３号公報
【発明の開示】
【発明が解決しようとする課題】
【０００４】
娯楽施設や駅等の施設では、入場するにあたり、情報が記録された情報記録式入場券が使用される場合が多い。情報記録式入場券としては、上述した無線タグが内蔵された入場券、磁気による情報が記録された磁気カード、および内部に半導体集積回路（以下、ＩＣと略記する）が組み込まれこのＩＣに情報が格納されたＩＣカード等がある。このような情報記録式入場券が使用される施設では、その施設に入場する入場者は比較的多く、また複数の仲間で構成されるグループで入場する場合も多い。ここで、グループで入場して仲間とはぐれてしまう場合がある。その場合、携帯電話がつながりにくい場所であったり自分のいる場所がはっきり分からなかったりすると、はぐれてしまった仲間との合流が困難な場合がある。
【０００５】
また、グループで入場して写真撮影を行なう場合、上述した特許文献１に提案された技術では、グループで入場したか否かに拘らず、写真撮影を希望する利用者に渡された無線タグからの信号を受信することにより写真撮影が行なわれるため、グループ単位で写真が必要な場合と、利用者単位で写真が必要な場合とを区別することは困難である。
【０００６】
本発明は、上記事情に鑑み、グループを構成する利用者に対して便宜を図ることができる情報記録式入場券を提供することを目的とする。
【課題を解決するための手段】
【０００７】
上記目的を達成する本発明の情報記録式入場券は、外部と通信を行なって受信情報の記録および記録された情報の送信を行なう無線タグを内蔵した情報記録式入場券であって、
上記無線タグに、この入場券を特定する入場券ＩＤ情報を記録するとともに、複数の入場券により構成されるグループを特定するグループＩＤ情報を記録することを特徴とする。
【０００８】
本発明の情報記録式入場券は、内蔵された無線タグに、入場券を特定する入場券ＩＤ情報を記録するとともに、複数の入場券により構成されるグループを特定するグループＩＤ情報を記録するものであるため、テーマパークや駅等の施設にグループで入場する場合、そのグループは本発明の情報記録式入場券で特定される。このように、複数の利用者を１つのグループとして取り扱うことにより、そのグループを構成する複数の利用者に対して、後述する実施形態で説明するように、様々な便宜を図ることができる。
【０００９】
ここで、上記無線タグに、上記グループを構成する複数の入場券の中の一部の入場券により構成されるサブグループを特定するサブグループＩＤ情報を記録することが好ましい。
【００１０】
このようにすると、特定されるグループを構成する複数の利用者うち、さらにサブグループＩＤ情報で特定されるサブグループを構成する複数の利用者に対して、さらにきめ細かな便宜を図ることができる。
【発明の効果】
【００１１】
本発明の情報記録式入場券は、内蔵された無線タグに、入場券を特定する入場券ＩＤ情報を記録するとともに、複数の入場券により構成されるグループを特定するグループＩＤ情報を記録するものであるため、テーマパークや駅等の施設にグループで入場してその施施設を利用する利用者に対して様々な便宜を図ることができる。
【発明を実施するための最良の形態】
【００１２】
以下、本発明の実施形態について説明する。
【００１３】
図１は、本発明の第１実施形態の情報記録式入場券が適用される第１のテーマパークの概略図、図２は、図１に示すテーマパークにおけるシステムの概略図である。
【００１４】
図１に示すテーマパークは、アトラクションＡ,Ｂ,Ｃと、レストランＤと、ショッピングセンタＥと、複数の部屋Ｆ１,…Ｆｎを有するホテルＦと、モニュメントＧと、入退場ゲートＨとを有する。
【００１５】
また、このテーマパークには、画像データを受信して蓄積しておき画像データの送信要求を受けて送信元に画像データを送信する画像サーバ３が設置されている。
【００１６】
さらに、テーマパークには、入退場ゲートＨに配備されたチェックアウト端末４ａ,４ｂおよびホテルＦの出入り口に配備されたチェックアウト端末４ｃと、利用者に様々な情報を提供するための案内板５ａ,５ｂ,５ｃ,５ｄ,５ｅが設置されている。
【００１７】
アトラクションＡ,Ｂ,Ｃ,レストランＤ,ショッピングセンタＥ,ホテルＦは、ラボＡＬａ,ＢＬａ,ＣＬａ, ＤＬａ,ＥＬａ,ＦＬａを有する。これらラボＡＬａ,ＢＬａ,ＣＬａ, ＤＬａ,ＥＬａ,ＦＬａには、画像サーバ３から送信されてきた画像データを受信し、その画像データで表わされる写真を画面に表示したりプリントしたりする画像受信端末１ａ,１ｂ,１ｃ,１ｄ,１ｅ,１ｆが設置されている。
【００１８】
また、ショッピングセンタＥは、デジタルカメラの貸し出しを行なうデジタルカメラ貸出スペースＥＲｅｎｔを有する。このデジタルカメラ貸出スペースＥＲｅｎｔには、画像送信端末２ａ,…２ｎが設置されている。
【００１９】
画像サーバ３は、上記画像送信端末２ａ,…２ｎからの画像データを受信して蓄積しておき、上記ラボＡＬａ,ＢＬａ,ＣＬａ, ＤＬａ,ＥＬａ,ＦＬａに設置された画像受信端末１ａ,…,１ｆからの画像データの送信要求を受けて送信元に画像データを送信する。また、画像サーバ３は、インターネットを介して、このテーマパークの外部のカメラ店等に設置された、図２に示す画像受信端末６ａ,…,６ｎからの画像データの送信要求を受けて送信元に画像データを送信する。これらの画像受信端末１ａ,…,１ｆ,６ａ,…,６ｎには、送信された画像データで表わされる写真をプリントするためのプリンタ１ａｐ,…,１ｆｐ,６ａｐ,…,６ｎｐが接続されている。
【００２０】
また、デジタルカメラ貸出スペースＥＲｅｎｔには、図２に示すように、このテーマパークの利用者に貸し出すための複数のデジタルカメラ１０と、それら複数のデジタルカメラ１０の充電を行なうとともに、利用者に貸し出されて撮影され生成された画像データを画像送信端末２ａ,…２ｎに送信するためのクレードル２０が配備されている。また、画像送信端末２ａ,…２ｎには、入場券３０（本発明にいう情報記録式入場券の一例）に内蔵された無線タグとの送受信を行なう送受信器４０が接続されている。先ず、入場券３０について説明する。
【００２１】
このテーマパークでは、入場にあたり、入場券３０が利用者に渡される。ここでは、テーマパークに、複数の利用者からなる団体（グループ）で入場するものとする。また、このグループは、そのグループを構成する複数の利用者が、さらに特定のサブグループに分かれているものとする。例えば、複数組の家族が団体で入場する場合、その団体を１つのグループとし、さらにこの団体を構成する各家族をサブグループとした場合が、これに相当する。
【００２２】
図３は、入場券の外観図、図４は、図３に示す入場券の断面図である。
【００２３】
図３に示す入場券３０には、外部と通信を行なって受信情報の記録および記録された情報の送信を行ない、後述する入場券ＩＤ情報等の情報が記録される無線タグ３１が内蔵されている。この無線タグ３１は、図４に示すように、入場券３０を構成する表面部材３０ａと裏面部材３０ｂとの間に内蔵されており、この無線タグ３１は、基板３２と、その基板３２上に形成された半導体回路３３および電磁誘導コイルからなるアンテナ部３４を有する。
【００２４】
図５は、図４に示す無線タグの回路構成を示す図である。
【００２５】
図５に示す無線タグ３１を構成する半導体回路３３には、送受信部３３＿１と、制御部３３＿２と、メモリ部３３＿３と、ＡＣ／ＤＣ部３３＿４とが備えられている。この無線タグ３１では、外部からの電波Ｗａをアンテナ部３４で受信して交流電圧を生成する。
【００２６】
ＡＣ／ＤＣ部３３＿４は、アンテナ部３４で生成された交流電圧を直流電圧に変換して、送受信部３３＿１,制御部３３＿２,メモリ部３３＿３に供給する。
【００２７】
送受信部３３＿１は、電波Ｗａに含まれる情報を受信して制御部３３＿２に出力するとともに、その送受信部３３＿１からの情報をアンテナ部３４を介して電波Ｗｂとして外部に向けて送信する。
【００２８】
制御部３３＿２は、送受信部３３＿１とメモリ部３３＿３とのデータ処理の制御を行なう。
【００２９】
メモリ部３３＿３は、不揮発性のメモリから構成されており、このメモリ部３３＿３には、入場券３０を特定する入場券ＩＤ情報等が記録される。
【００３０】
図６は、無線タグとの送受信を行なう送受信器の回路構成を示す図である。
【００３１】
図６に示す送受信器４０には、電磁誘導コイル４１と、送受信部４２と、制御部４３と、Ｉ／Ｆ部４４とが備えられている。
【００３２】
電磁誘導コイル４１は、無線タグ３１に向けて電波Ｗａを送信するとともに、その無線タグ３１からの電波Ｗｂを受信する。
【００３３】
送受信部４２は、制御部４３からの情報を電磁誘導コイル４１に出力するとともに、電磁誘導コイル４１を介して電磁波Ｗｂに含まれる情報を受信する。
【００３４】
制御部４３は、送受信部４２とＩ／Ｆ部４４とのデータ処理の制御を行なう。
【００３５】
Ｉ／Ｆ部４４は、上述した画像送信端末２ａ,…２ｎに接続されており、このＩ／Ｆ部４４は、制御部４３からの情報を所定のフォーマットで画像送信端末２ａ,…２ｎに送信したり、画像送信端末２ａ,…２ｎから所定のフォーマットで送信される情報を制御部４３に出力する。
【００３６】
図７は、無線タグのメモリ部に記録されるＩＤ情報を示す図である。
【００３７】
無線タグ３１のメモリ部３３＿３には、入場券３０を特定するＩＤ情報である入場券ＩＤ情報が記録される記録部３３＿３ａが備えられている。また、このメモリ部３３＿３には、複数の入場券３０により構成されるグループを特定するグループＩＤ情報が記録される記録部３３＿３ｂが備えられている。さらに、メモリ部３３＿３には、上記グループを構成する複数の入場券３０の中の一部の入場券３０により構成されるサブグループを特定するサブグループＩＤ情報が記録される記録部３３＿３ｃが備えられている。また、このメモリ部３３＿３には、デジタルカメラ１０の貸出しを受けるにあたり、貸し出されるデジタルカメラ１０を特定するカメラＩＤ情報が記録される記録部３３＿３ｄが備えられている。さらに、このメモリ部３３＿３には、貸し出しを受けたデジタルカメラ１０の返却にあたり、そのカメラＩＤ情報のデジタルカメラ１０が返却されたことを表わすカメラ返却情報が記録される記録部３３＿３ｅが備えられている。入場券ＩＤ情報、グループＩＤ情報、およびサブグループＩＤ情報は、入退場ゲートＨに配備されたチェックアウト端末４ａ,４ｂ、ホテルＦの出入り口に配備されたチェックアウト端末４ｃ、および案内板５ａ,５ｂ,５ｃ,５ｄ,５ｅで記録したり消去したりすることが可能である。また、カメラＩＤ情報,カメラ返却情報は、画像送信端末２ａ,…２ｎで記録される。
【００３８】
先ず、この入場券３０を使用して、デジタルカメラ１０の貸し出しを行なう場合について説明する。図２に示すデジタルカメラ貸出スペースＥＲｅｎｔでは、デジタルカメラ１０が貸し出されるまでは、クレードル２０に載置されて十分に充電される。利用者にデジタルカメラ１０を貸し出すにあたっては、その利用者の入場券３０の無線タグ３１に予め記録された入場券ＩＤ情報,グループＩＤ情報,サブグループＩＤ情報に加えて、画像送信端末２ａ,…２ｎに接続された送受信器４０によりカメラＩＤ情報が記録される。また、デジタルカメラ１０の返却にあたっては、画像送信端末２ａ,…２ｎに接続された送受信器４０により、その利用者の入場券３０の無線タグ３１にカメラ返却情報が記録される。さらに、そのデジタルカメラ１０をクレードル２０に載置すると、そのクレードル２０を経由して、入場券ＩＤ情報,グループＩＤ情報,サブグループＩＤ情報，カメラＩＤ情報，カメラ返却情報、およびそのデジタルカメラ１０で撮影して得られた画像データが、そのクレードル２０に対応した画像送信端末に送信される。画像送信端末は、入場券ＩＤ情報,グループＩＤ情報,サブグループＩＤ情報,カメラＩＤ情報，カメラ返却情報とともにこの画像データを画像サーバ３０に送信する。ここで、クレードル２０について説明する。
【００３９】
図８は、クレードルの概略構成図である。
【００４０】
図８に示すクレードル２０には、電源電圧（ＡＣ１００Ｖ）を入力して所定の直流電圧（ＤＣ電圧）に変換するＡＣ／ＤＣ変換器２１と、そのＡＣ／ＤＣ変換器２１からのＤＣ電圧を入力してデジタルカメラ１０に備えられた外部電源端子を経由してバッテリを充電するための充電回路２２が備えられている。また、このクレードル２０には、デジタルカメラ１０に備えられたＵＳＢ（Ｕｎｉｖｅｒｓａｌ  Ｓｅｒｉａｌ  Ｂｕｓ）端子からの画像データを入力するためのＵＳＢコネクタ２３と、そのＵＳＢコネクタ２３に接続されて画像送信端末２ａ,…２ｎのうちのこのクレードル２０に対応した画像送信端末に画像データを送信するためのＵＳＢコネクタ２４が備えられている。
【００４１】
図９は、画像送信端末で送信される送信データを示す図である。
【００４２】
画像送信端末２ａ,…２ｎと画像サーバ３０とはローカルＬＡＮで接続されており、このローカルＬＡＮを介して、画像送信端末２ａ,…２ｎそれぞれから画像サーバ３０に向けて図９に示す入場券ＩＤ情報,グループＩＤ情報,サブグループＩＤ情報,カメラＩＤ情報,カメラ返却情報，画像データからなる送信データが送信される。
【００４３】
図１０は、画像送信端末の構成を示す図である。ここでは代表的に画像送信端末２ａを取り上げて説明するが、画像送信端末２ｂ,…２ｎも同様の構成を有する。
【００４４】
図１０に示す画像送信端末２ａの構成図には、ＣＰＵ２１１、ＲＡＭ２１２、ハードディスクコントローラ２１３、フレキシブルディスクドライブ２１４、ＣＤ−ＲＯＭドライブ２１５、マウスコントローラ２１６、キーボードコントローラ２１７、ディスプレイコントローラ２１８、および通信用ボード２１９が示されており、それらはバス２１０で相互に接続されている。
【００４５】
フレキシブルディスクドライブ２１４、ＣＤ−ＲＯＭドライブ２１５は、それぞれフレキシブルディスク装填口およびＣＤ−ＲＯＭ装填口から装填されたフレキシブルディスク２１４ａ、ＣＤ−ＲＯＭ２１５ａをアクセスするものである。通信用ボード２１９はローカルＬＡＮに接続される。
【００４６】
また、図１０には、ハードディスクコントローラ２１３によりアクセスされるハードディスク２１３ａ、マウスコントローラ２１６により制御されるマウス２１６ａ、キーボードコントローラ２１７により制御されるキーボード２１７ａ、およびディスクプレイコントローラ２１８により制御されるＣＲＴディスプレイ２１８ａも示されている。
【００４７】
さらに、図１０には、送受信器４０との通信を行なうための送受信器Ｉ／Ｆ部２２０およびクレードル２０との通信を行なうためのＵＳＢＩ／Ｆ部２２１が示されている。
【００４８】
図１１は、画像サーバの構成を示す図である。
【００４９】
図１１に示す画像サーバ３の構成図には、ＣＰＵ３１１、ＲＡＭ３１２、ハードディスクコントローラ３１３、フレキシブルディスクドライブ３１４、ＣＤ−ＲＯＭドライブ３１５、マウスコントローラ３１６、キーボードコントローラ３１７、ディスプレイコントローラ３１８、および通信用ボード３１９,３２０が示されており、それらはバス３１０で相互に接続されている。
【００５０】
フレキシブルディスクドライブ３１４、ＣＤ−ＲＯＭドライブ３１５は、それぞれフレキシブルディスク装填口およびＣＤ−ＲＯＭ装填口から装填されたフレキシブルディスク３１４ａ、ＣＤ−ＲＯＭ３１５ａをアクセスするものである。通信用ボード３１９はローカルＬＡＮに接続され、また通信用ボード３２０はインターネットに接続される。
【００５１】
また、図１１には、ハードディスクコントローラ３１３によりアクセスされるハードディスク３１３ａ、マウスコントローラ３１６により制御されるマウス３１６ａ、キーボードコントローラ３１７により制御されるキーボード３１７ａ、およびディスクプレイコントローラ３１８により制御されるＣＲＴディスプレイ３１８ａも示されている。
【００５２】
次に、画像受信端末１ａ,１ｂ,１ｃ,１ｄ,１ｅ,１ｆについて説明する。画像受信端末１ａ,１ｂ,１ｃ,１ｄ,１ｅ,１ｆは、前述したように、ラボＡＬａ,ＢＬａ,ＣＬａ, ＤＬａ,ＥＬａ,ＦＬａに設置されるとともに、写真をプリントするためのプリンタ１ａｐ,…,１ｆｐ,６ａｐ,…,６ｎｐが接続されている。尚、これら画像受信端末１ａ,１ｂ,１ｃ,１ｄ,１ｅ,１ｆの構成は、送受信器４０が内蔵されている点を除いて、図１０を参照して説明した画像送信端末２ａと同じ構成であるので説明は省略する。
【００５３】
画像受信端末１ａ,１ｂ,１ｃ,１ｄ,１ｅ,１ｆは、入場券３０に内蔵された無線タグ３１からその入場券３０に記録された入場券ＩＤ情報,グループＩＤ情報,サブグループＩＤ情報,カメラＩＤ情報，カメラ返却情報を受信して画像サーバ３にそれらの情報およびそれら情報に対応する画像データの送信を要求し、画像サーバ３から送信されてきた画像データを受信し、その画像データで表わされる写真を画面に表示したり上記プリンタ１ａｐ,…,１ｆｐ,６ａｐ,…,６ｎｐでプリントしたりする。
【００５４】
前述したように、デジタルカメラ１０の返却にあたっては、画像送信端末２ａ,…２ｎに接続された送受信器４０により、その利用者の入場券３０の無線タグ３１にカメラ返却情報が、既に記録された入場券ＩＤ情報,グループＩＤ情報,サブグループＩＤ情報,カメラＩＤ情報に加えて記録される。利用者は、テーマパークを退場するにあたり、このような入場券３０を所持して入退場ゲートＨやホテルＦの出入り口から退場する。退場にあたっては、後述するようにしてチェックアウト端末４ａ，４ｂ，４ｃでカメラ返却情報がチェックされる。
【００５５】
本実施形態では、利用者がデジタルカメラ貸出スペースＥＲｅｎｔでデジタルカメラ１０を返却した時点で、そのデジタルカメラ貸出スペースＥＲｅｎｔに隣接したラボＥＬａにおいて、その利用者およびその家族が、そのラボＥＬａに設置された画像受信端末１ｅに接続されたプリンタでプリントされた写真を受け取ることができる。また、テーマパークは、上記ラボＥＬａを除くラボＡＬａ,ＢＬａ,ＣＬａ, ＤＬａ, ,ＦＬａを有し、これらラボＡＬａ,ＢＬａ,ＣＬａ, ＤＬａ,ＦＬａには画像受信端末１ａ,１ｂ,１ｃ,１ｄ,１ｆが設置されているため、その利用者およびその家族は、貸し出されたデジタルカメラ１０で撮影している途中で、それらラボに立ち寄って写真を受け取ることもできる。
【００５６】
あるいは、入場券３０を所持してテーマパークを退場した後に写真を受け取ってもよい。テーマパークを退場した後に写真を受け取る場合は、近所のカメラ店等に設置された画像受信端末６ａ,…,６ｎに、その入場券３０に内蔵された無線タグ３１からの情報を受信させ、インターネットを介して画像サーバ３にそれらの情報に対応する画像データの送信を要求してプリンタ６ａｐ,…,６ｎｐでプリントして写真を受け取る。また、上記画像データが記録されたＣＤ−ＲＯＭで受け取ってもよい。ここで、前述したように、利用者はサブグループからなるグループで入場しており、このため利用者の入場券３０には、グループＩＤ情報およびサブグループＩＤ情報が記録されている。従って、デジタルカメラ１０の貸し出しを受けた利用者以外の、その利用者を含むサブグループを構成する利用者も、そのデジタルカメラ１０で撮影して得られた画像データに基づく写真やＣＤ−ＲＯＭを入手することができる。さらに、複数組の家族が団体で入場し、その団体を１つのグループとし、さらにこの団体を構成する各家族をサブグループとした場合であって、ある１組の家族の利用者がデジタルカメラ１０を借りて写真撮影を行なった場合、デジタルカメラ１０を借りた利用者の家族の入場券３０には、画像送信端末でその家族特有のサブグループＩＤ情報が記録されているため、テーマパークを退場した後であって、その家族の写真を焼き増ししたい場合であっても、その家族の写真を入手することができる。
【００５７】
次に、テーマパークの入退場ゲートＨに配備されたチェックアウト端末４ａ,４ｂおよびホテルＦの出入り口に配備されたチェックアウト端末４ｃについて説明する。
【００５８】
図１２は、チェックアウト端末の構成を示す図である。ここでは代表的にチェックアウト端末４ａを取り上げて説明するが、他のチェックアウト端末４ｂ,４ｃも同様の構成である。
【００５９】
チェックアウト端末４ａには、前述した送受信器４０と同様な構成である送受信器４００と、表示部および入力部を備えた操作パネル４０１と、音声発音部４０２と、制御部４０３と、Ｉ／Ｆ部４０４とが備えられている。これら送受信器４００,操作パネル４０１,音声発音部４０２,制御部４０３,Ｉ／Ｆ部４０４は、バスラインで互いに接続されている。ここで、利用者がデジタルカメラ１０の返却を忘れていた場合、その利用者の入場券３０の無線タグ３１にはカメラ返却情報は記録されておらず、その利用者が入退場ゲートＨから退場する際に、送受信器４００でその旨が受信される。制御部４０３は、送受信器４００で受信された情報と、Ｉ／Ｆ部４０４からのローカルＬＡＮを介して画像サーバ３から送信される情報とを参照して、カメラ返却情報が含まれていない旨を検出し、デジタルカメラ１０を返却する旨を操作パネル４０１に表示するとともに音声発音部４０２で警告音を発音する。このようにすることにより、貸し出されたデジタルカメラ１０の持ち出しを防止することができる。
【００６０】
さらに、テーマパークには、案内板５ａ,５ｂ,５ｃ,５ｄ,５ｅが設置されている。これら案内板５ａ,５ｂ,５ｃ,５ｄ,５ｅは、入場券３０に内蔵された無線タグ３１からその入場券３０に記録されたグループＩＤ情報およびサブグループＩＤ情報を受信して画像サーバ３にそのグループＩＤ情報およびサブグループＩＤ情報に対応する、例えば利用者の現在位置を表わす画像データの送信を要求し、画像サーバ３から送信されてきた画像データを受信して提示する。以下、詳細に説明する。
【００６１】
図１３は、案内板の構成を示す図である。ここでは代表的に案内板５ａを取り上げて説明するが、他の案内板５ｂ,５ｃ,５ｄ,５ｅも同様の構成である。
【００６２】
案内板５ａには、前述した送受信器４０と同様な構成である送受信器５００と、表示画面５０１と、入力部５０２と、制御部５０３と、Ｉ／Ｆ部５０４とが備えられている。これら送受信器５００,表示画面５０１,入力部５０２,制御部５０３,Ｉ／Ｆ部５０４は、バスラインで互いに接続されている。ここで、入場券３０を使用して、その入場券３０を有する利用者が属するサブグループを構成する利用者どうしの現在位置を、案内板５ａ，…,５ｅの入力部５０２を操作して互いに知る方法について説明する。
【００６３】
利用者の入場券３０には、グループＩＤ情報およびサブグループＩＤ情報が記録されているものとする。ここで、利用者が自分の入場券３０の無線タグ３１を案内板５ａに近づけると、案内板５ａに備えられた送受信器５００にその無線タグ３１に記録されたグループＩＤ情報およびサブグループＩＤ情報が送受信器５００で検出されて制御部５０３に送られる。ここで、利用者は、入力部５０２で、現在位置を入力する。制御部５０３では、その利用者の現在位置を表わす画像データの送信を、Ｉ／Ｆ部５０４,ローカルＬＡＮを経由して画像サーバ３に送信する。ここで、画像サーバ３に、同様にして、他の案内板からの、その利用者が属するサブグループを構成する他の利用者の現在位置を表わす画像データが送信されていた場合、この案内板５ａの表示画面５０１には、その利用者自身の現在位置とともに、画像サーバ３からの上記他の利用者の現在位置が表示される。このようにすることにより、その利用者は、その利用者が属するサブグループを構成する他の利用者の現在位置を知ることができるとともに、上記他の利用者に対して自分の現在位置を教えることもできる。従って、家族の１人が迷子になった場合であっても簡単に見つけ出すことができる。
【００６４】
図１４は、図２に示すデジタルカメラを前面斜め上から見た外観斜視図である。
【００６５】
図１４に示すデジタルカメラ１０は、テーマパークを利用する利用者に貸し出されるデジタルカメラであり、このデジタルカメラ１０の前面中央部には、光学ズームレンズである撮影レンズ１０＿１ａを内部に備えたズーム鏡胴１０＿１が備えられている。また、このデジタルカメラ１０の前面上部には、撮影に同期してフラッシュ光を発するフラッシュ発光装置１０＿２と、フラッシュ発光装置１０＿２からのフラッシュ光の光量を制御するためにそのフラッシュ光の光量を検出するフラッシュ調光センサ１０＿３と、光学式ファインダ対物窓１０＿４とが備えられている。
【００６６】
また、このデジタルカメラ１０の前面左側には、スライド式の電源スイッチ１０＿５と、このデジタルカメラ１０に内蔵されたバッテリを充電しているときに点灯したり画像データの伝送時やセルフタイマ作動時等に点滅したりするイルミネーションランプ１０＿６が備えられている。
【００６７】
さらに、このデジタルカメラ１０の上面には、シャッタボタン１０＿７および音声をピックアップするマイクロホン１０＿８が備えられている。
【００６８】
また、このデジタルカメラ１０の図１に示す右側面には、スピーカ１０＿９、撮影済みの画像データをパーソナルコンピュータなどに送信するときに使用されるＵＳＢケーブルが接続されるＵＳＢ端子１０＿１０、および外部電源端子１０＿１１が備えられている。
【００６９】
図１５は、図１４に示すデジタルカメラを背面斜め上から見た外観斜視図である。
【００７０】
図１５に示すデジタルカメラ１０の背面上部には、光学式ファインダ接眼窓１０＿２２と、撮影準備完了等に点灯したり撮影中に点滅したりするファインダランプ１０＿２３と、静止画モード，再生モード，動画撮影モードを切り換えるモードスイッチ１０＿２４とが備えられている。また、モードスイッチ１０＿２４の右側には、マクロボタン１０＿２５と、ズームボタン１０＿２６と、フラッシュボタン１０＿２７とが備えられている。
【００７１】
マクロボタン１０＿２５は、マクロ撮影を行なうか否かを切り換えるボタンであり、一度押下するとマクロ撮影モードとなり、再度押下するとマクロ撮影モードが解除される。
【００７２】
ズームボタン１０＿２６は、上方に向けて押下することにより望遠側（テレ側）にズームアップするとともに下方に向けて押下することにより広角側（ワイド側）にズームダウンするボタンである。また、このズームボタン１０＿２６は、単に押下することにより、後述する液晶モニタ１０＿２８に表示される各種のメニューを選択するボタンである。
【００７３】
フラッシュボタン１０＿２７は、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンである。
【００７４】
また、デジタルカメラ１０の背面中央部には、液晶モニタ１０＿２８と、ＭＥＮＵ／ＯＫボタン１０＿２９と、ＢＡＣＫボタン１０＿３０と、ＤＩＳＰボタン１０＿３１と、フォトモードボタン１０＿３２とが備えられている。
【００７５】
液晶モニタ２８は、デジタルカメラ１０で被写体光を捉えて生成された画像データからなる画像や種々の設定時における情報等を表示する。
【００７６】
ＭＥＮＵ／ＯＫボタン１０＿２９は、撮影時や再生時における各種のメニューを表示したり、上記ズームボタン１０＿２６により選択されたメニューを決定するためのボタンである。
【００７７】
ＢＡＣＫボタン１０＿３０は、ＭＥＮＵ／ＯＫボタン１０＿２９等による操作状態を１つ前に戻したり取り消したりするためのボタンである。
【００７８】
ＤＩＳＰボタン１０＿３１は、液晶モニタ１０＿２８に表示された画面の状態を切り換えるためのボタンであり、例えば撮影時に液晶モニタ１０＿２８の表示をオン，オフしたり、再生時に文字表示をオン，オフしたりするためのボタンである。
【００７９】
フォトモードボタン１０＿３２は、ピクセル数，感度，色味，プリント枚数等を設定するためのボタンである。
【００８０】
さらに、デジタルカメラ１０の背面下部には、バッテリおよびメモリカードを収容する収容蓋１０＿３３が備えられている。また、このデジタルカメラ１０の側面部には、ストラップ取付部１０＿３４も備えられている。
【００８１】
図１６は、図１４,図１５に示すデジタルカメラの回路構成を示すブロック図である。
【００８２】
このデジタルカメラ１０には、前述した撮影レンズ１０＿１ａと、その撮影レンズ１０＿１ａを経由して結像された被写体像をアナログの画像信号に変換する撮像素子１０＿４１が備えられている。
【００８３】
また、このデジタルカメラ１０には、撮像素子１０＿４１からのアナログの画像信号をアナログ処理するアナログ信号処理部１０＿４２と、そのアナログ信号処理部１０＿４２で処理されたアナログの画像信号をデジタルの画像信号にＡ／Ｄ変換するＡ／Ｄコンバータ１０＿４３と、そのＡ／Ｄコンバータ１０＿４３からの画像信号をデジタル処理するデジタル信号処理部１０＿４４とが備えられている。
【００８４】
さらに、このデジタルカメラ１０には、上記デジタル信号処理部１０＿４４におけるデジタル処理に必要なプログラムデータが格納されたＲＯＭ１０＿４５と、そのデジタル信号処理部１０＿４４とのやり取りを行なうＣＰＵ１０＿４６と、露出制御用およびフォーカシング制御用の情報をＣＰＵ１０＿４６に向けて出力するＡＥ／ＡＦ部１０＿４７と、上述したズームボタン１０＿２６等からなる操作部１０＿４８と、前述したシャッタボタン１０＿１７とが備えられている。
【００８５】
また、このデジタルカメラ１０には、デジタル信号処理部１０＿４４からの画像データを格納するとともに格納された画像データをデジタル信号処理部１０＿４４に向けて出力するメモリ１０＿４９と、デジタル信号処理部１０＿４４からの画像データが格納されるメモリカード１０＿５０と、デジタル信号処理部１０＿４４からの画像データをクレードル２０（図２参照）を経由して画像送信端末２ａ,…２ｎに送信するためのＩ／Ｆ部１０＿５１と、前述した液晶モニタ１０＿２８と、このデジタルカメラ１０全体に電圧を供給するバッテリ１０＿５２とが備えられている。次に、このようなデジタルカメラ１０の貸出処理の流れの一例について説明する。
【００８６】
図１７は、デジタルカメラの貸出処理の前半の流れを示すフローチャート、図１８は、デジタルカメラの貸出処理の後半の流れを示すフローチャートである。
【００８７】
先ず、ステップＳ１において、入場券３０に内蔵された無線タグ３１に、チェックアウト端末４ａ,４ｂ,４ｃや案内板５ａ,５ｂ,５ｃ,５ｄ,５ｅで入場券ＩＤ情報,グループＩＤ情報,サブグループＩＤ情報を記録する。
【００８８】
次に、ステップＳ２において、利用者はデジタルカメラ１０の貸し出しを行なう。ここで、貸し出しにあたり、ステップＳ３に示すように、入場券３０に内蔵された無線タグ３１に、カメラＩＤ情報を、画像送信端末に接続された送受信器４０で記録する。
【００８９】
次に、ステップＳ４に示すように、利用者は、貸し出されたデジタルカメラ１０で撮影を行なう。撮影終了後、ステップＳ５において、利用者はデジタルカメラ１０を返却する。
【００９０】
次に、ステップＳ６において、撮影が終了したデジタルカメラ１０をクレードル２０に載置する。また、画像送信端末に接続された送受信器４０で、無線タグ３１にカメラ返却情報を記録する。
【００９１】
さらに、ステップＳ７において、その無線タグ３１から入場券ＩＤ情報,グループＩＤ情報,サブグループＩＤ情報,カメラＩＤ情報，カメラ返却情報を、またデジタルカメラ１０から画像データを、画像送信端末で受け取る。
【００９２】
次に、図１８に示すステップＳ８において、画像送信端末から画像サーバ３に向けて、入場券ＩＤ情報,グループＩＤ情報,サブグループＩＤ情報,カメラＩＤ情報，カメラ返却情報、および画像データを送信する。
【００９３】
さらに、ステップＳ９において、利用者が退場するにあたり、テーマパークのゲートやホテルの出入り口に設けられたチェックアウト端末で、その利用者の無線タグに記録されたカメラ返却情報を受信する。
【００９４】
次に、ステップＳ１０において、受信したカメラ返却情報が正しいか否かを、画像サーバ３からの期待したカメラ返却情報に基づいて判定する。受信したカメラ返却情報が正しい（期待したカメラ返却情報と一致した）と判定された場合はステップＳ１１に進み、テーマパークからの退場が許可される。一方、受信したカメラ返却情報が期待したカメラ返却情報と一致していないと判定された場合はステップＳ１２に進む。ステップＳ１２では必要な処理が行なわれる。具体的には、チェックアウト端末の表示部にその旨を表示するとともに警告音を発音する。利用者は自分の貸出票に内蔵された無線タグを、デジタルカメラの貸し出しを行なうデジタルカメラ貸出スペースＥＲｅｎｔに持参して確認等を行なって最終的に正しいカメラ返却情報をその無線タグに記録してステップＳ９に戻る。
【００９５】
テーマパークから退場した利用者およびその利用者が属するサブグループを構成する他の利用者は、ステップＳ１３において、近所のカメラ店等に設置された画像受信端末（６ａ,…,６ｎ）での、無線タグを使用してのプリント写真を入手する。
【００９６】
図１９は、本発明の第１実施形態の情報記録式入場券が適用される第２のテーマパークの概略図である。
【００９７】
図１９に示すテーマパークは、アトラクションＡ,Ｂ,Ｃと、レストランＤと、ショッピングセンタＥと、複数の部屋Ｆ１,…Ｆｎを有するホテルＦと、モニュメントＧと、入退場ゲートＨとを有する。
【００９８】
アトラクションＡ,Ｂ,Ｃ,レストランＤ,ショッピングセンタＥ,ホテルＦには、サーバ６３と通信を行なう情報記録装置６１ａ,６１ｂ,６１ｃ,６１ｄ,６１ｅ,６１ｆが設置されている。尚、サーバ６３の構成は、図１１に示す画像サーバ３の構成と同じであり、また情報記録装置６１ａ,…,６１ｆの構成は、図１１に示す画像サーバ３を構成する通信用ボード３２０が送受信器４０に置き換えられた点を除いて同じ構成である。
【００９９】
ショッピングセンタＥは、デジタルカメラの貸し出しを行なうデジタルカメラ貸出スペースＥＲｅｎｔを有する。このデジタルカメラ貸出スペースＥＲｅｎｔには、画像送信端末２ａ,…２ｎが設置されている。また、このテーマパークには、案内板６５ａ,６５ｂ,６５ｃ,６５ｄ,６５ｅが設置されている。これら案内板６５ａ,６５ｂ,６５ｃ,６５ｄ,６５ｅの構成は、図１３に示す案内板５ａの構成と同じである。
【０１００】
このテーマパークでは、入場にあたり、入場券３０が利用者に渡される。サーバ６３は、入場券ＩＤ情報,グループＩＤ情報,サブグループＩＤ情報と、これらのＩＤ情報を有する利用者が利用した設備とを対応づけて蓄積しておき、これらのＩＤ情報に基づいたキー情報をキーとした照会に応じそのキー情報を有する利用者（同一サブグループの各利用者）が現時点における最後に利用した設備を、案内板６５ａ,６５ｂ,６５ｃ,６５ｄ,６５ｅに通知する。
【０１０１】
図２０は、サーバに備えられたハードディスクの、情報記録装置から通知される情報からなるテーブルを示す図である。
【０１０２】
サーバ６３のハードディスクには、情報記録装置６１ａ,…,６１ｆから通知される情報からなるテーブルが設けられている。このテーブルは、上記キー情報と、そのキー情報に対応する利用者が利用した設備（アトラクションＡ,Ｂ,Ｃ等）情報と、その設備を利用した時刻とから構成されている。
【０１０３】
ここでは、サブグループの第１の利用者であるキー情報１に対応して、アトラクションＡを時刻ａ１に利用した旨の情報が記録されている。また、そのサブグループの第２の利用者であるキー情報２に対応して、アトラクションＢを時刻ｂ１に利用した旨の情報が記録されている。さらに、そのサブグループの第３の利用者であるキー情報３に対応して、アトラクションＡを時刻ｃ１に利用した旨の情報が記録されている。案内板６５ａ,６５ｂ,６５ｃ,６５ｄ,６５ｅは、入場券３０に内蔵された無線タグ３１から入場券ＩＤ情報,グループＩＤ情報,サブグループＩＤ情報を読み取り、サーバ６３と通信を行なって、上記キー情報１，２，３に基づいて、同一サブグループの各利用者が現時点における最後に利用した設備を通知する。
【０１０４】
図２１は、図１９に示すテーマパークで使用される入場券による処理の流れを示すフローチャートである。
【０１０５】
先ず、ステップＳ１１において、情報記録装置６１ａ,…,６１ｆで入場券３０に内蔵された無線タグ３１に記録された入場券ＩＤ情報,グループＩＤ情報,サブグループＩＤ情報を読み取る。
【０１０６】
次に、ステップＳ１２において、情報記録装置６１ａ,…,６１ｆで、利用した設備を表わす設備情報および時刻をサーバ６３に通知する。
【０１０７】
さらに、ステップＳ１３において、案内板６５ａ，…,６５ｅで、入場券３０に内蔵された無線タグ３１に記録された入場券ＩＤ情報,グループＩＤ情報,サブグループＩＤ情報を読み取る。
【０１０８】
次いで、ステップＳ１４において、案内板６５ａ，…,６５ｅは、サーバ６３と通信を行なって同一サブグループ内の各利用者が最後に利用した設備を案内する。尚、案内板６５ａ，…,６５ｅは、同一サブグループ内の各利用者が最後に利用した設備を案内することに代えて、同一サブグループ内の各利用者がまだ利用していない設備や、その設備の道順，距離，時間，混み具合等を案内してもよい。
【０１０９】
また、利用者がテーマパークに自家用車で入場した場合、そのサブグループの各利用者が入場券３０に内蔵された無線タグ３１に、駐車場の、その自家用車を駐車した位置を、案内板６５ａ，…，６５ｅの入力部で記録しておき、テーマパークの退場にあたり、その入場券３０を案内板６５ａ，…，６５ｅで読み取らせて表示させるようにすると、同一サブグループ内の各利用者が自家用車を駐車した位置を忘れた場合であっても、広大な駐車場に駐車している多数の自家用車の中からその自家用車を即座に見つけ出すことができる。
【０１１０】
尚、上述した実施形態では、いずれも、無線タグに、グループを構成する複数の入場券の中の一部の入場券により構成されるサブグループを特定するサブグループＩＤ情報を記録する例で説明したが、本発明の情報記録式入場券は、無線タグに、入場券を特定する入場券ＩＤ情報を記録するとともに、複数の入場券により構成されるグループを特定するグループＩＤ情報を記録するものであればよい。
【０１１１】
図２２は、本発明の第２実施形態の情報記録式入場券が適用される駅におけるシステムの概略図、図２３は、図２２に示す駅におけるシステムで使用される切符の外観図、図２４は、図２３に示す切符に内蔵された無線タグのメモリ部に記録される情報を示す図である。
【０１１２】
図２２に示すシステムには、サーバ７３と、情報記録装置７７ａ,…,７７ｃと、案内板７８ａ,…７８ｅとが備えられている。尚、これらサーバ７３，情報記録装置７７ａ,…,７７ｃ，案内板７８ａ,…７８ｅの構成は、前述した図１９に示すサーバ６３，情報記録装置６７ａ,…,６７ｃ，案内板６８ａ,…６８ｅの構成と同じである。このシステムでは、図２３に示すように、無線タグ３１が内蔵された切符５０が使用される。無線タグ３１は、図２４に示すメモリ部３３＿３を有する。メモリ部３３＿３には、切符５０を特定する目的地情報（本発明にいう入場券ＩＤ情報に相当）が記録される記録部３３＿３ａが備えられている。目的地情報としては、行先、日時、列車番号、列車名、座席番号、発車番線、発車時刻、到着時刻等がある。また、このメモリ部３３＿３には、複数の切符５０により構成されるグループを特定するグループＩＤ情報が記録される記録部３３＿３ｂが備えられている。さらに、メモリ部３３＿３には、グループを構成する複数の切符５０の中の一部の切符５０により構成されるサブグループを特定するサブグループＩＤ情報が記録される記録部３３＿３ｃが備えられている。
【０１１３】
情報記録装置７７ａ,…,７７ｃには、前述した送受信器４０と同様な構成である送受信器４００と、操作パネル４０１と、音声発音部４０２と、制御部４０３と、Ｉ／Ｆ部４０４とが備えられている。
【０１１４】
情報記録装置７７ａ,…,７７ｃは、切符５０に内蔵された無線タグ３１に、目的地情報,グループＩＤ情報，サブグループＩＤ情報を記録する。また、この情報記録装置７７ａ,…,７７ｃは、切符５０に内蔵された無線タグ３１からその無線タグ３１に記録された目的地情報，グループＩＤ情報，サブグループＩＤ情報を送受信器４００で読み取る。読み取られた情報は制御部４０３に伝達され、情報が正しく読み取られたか否かが操作パネル４０１で表示されるとともに音声発音部４０２で発音される。さらに、読み取られた情報はＩ／Ｆ部４０４を経由してサーバ７３に通知される。
【０１１５】
サーバ７３は、インターネットに接続されており、このサーバ７３は、上記情報と目的地に関する様々な情報とを対応づけて蓄積しておき、案内板７８ａ,…７８ｅからの、上記情報をキーとした照会に応じて、案内板７８ａ,…７８ｅに、目的地に関する様々な情報を通知する。
【０１１６】
案内板７８ａ,…７８ｅは、切符５０に内蔵された無線タグ３１から情報を読み取りサーバ７３と通信を行なって、その切符５０を所持する利用者および同一サブグループ（ある１つの家族）内の他の切符５０を所持する各利用者に、サーバ７３から通知された目的地に関する様々な情報を案内する。これら情報には、乗車するホームまでの経路やその所要時間、乗り継ぎのための駅や待ち時間、あるいは目的地の天気,宿泊施設,観光地等のローカル情報がある。このようにすることにより、同一サブグループの各利用者は、その目的地に関する様々な情報を得ることができる。
【０１１７】
また、例えば、複数組の家族が団体で旅行する場合であって、この団体を１つのグループとし、さらにこの団体を構成する各家族をサブグループとした場合、情報記録装置７７ａ,…,７７ｃで切符５０に内蔵された無線タグ３１に、グループＩＤ情報，サブグループＩＤ情報を記録しておくと、家族毎に、各家族の１人が代表してその家族全員の目的地情報を記録することができる。従って、各家族毎に、指定席等を容易に確保することができる。また、家族の１人が、案内板７８ａ,…７８ｅに切符５０を近づけることにより、その案内板７８ａ,…７８ｅで通知される情報により、例えば待ち合わせ場所を確認することができる。さらに、情報記録装置７７ａ,…,７７ｃで家族のメンバーの追加や削除、あるいは複数組の家族どうしを１つのサブグループにしたりすることもできる。
【図面の簡単な説明】
【０１１８】
【図１】本発明の第１実施形態の情報記録式入場券が適用される第１のテーマパークの概略図である。
【図２】図１に示すテーマパークにおけるシステムの概略図である。
【図３】入場券の外観図である。
【図４】図３に示す入場券の断面図である。
【図５】図４に示す無線タグの回路構成を示す図である。
【図６】無線タグとの送受信を行なう送受信器の回路構成を示す図である。
【図７】無線タグのメモリ部に記録されるＩＤ情報を示す図である。
【図８】クレードルの概略構成図である。
【図９】画像送信端末で送信される送信データを示す図である。
【図１０】画像送信端末の構成を示す図である。
【図１１】画像サーバの構成を示す図である。
【図１２】チェックアウト端末の構成を示す図である。
【図１３】案内板の構成を示す図である。
【図１４】図２に示すデジタルカメラを前面斜め上から見た外観斜視図である。
【図１５】図１４に示すデジタルカメラを背面斜め上から見た外観斜視図である。
【図１６】図１４,図１５に示すデジタルカメラの回路構成を示すブロック図である。
【図１７】デジタルカメラの貸出処理の前半の流れを示すフローチャートである。
【図１８】デジタルカメラの貸出処理の後半の流れを示すフローチャートである。
【図１９】本発明の第１実施形態の情報記録式入場券が適用される第２のテーマパークの概略図である。
【図２０】サーバに備えられたハードディスクの、情報記録装置から通知される情報からなるテーブルを示す図である。
【図２１】図１９に示すテーマパークで使用される入場券による処理の流れを示すフローチャートである。
【図２２】本発明の第２実施形態の情報記録式入場券が適用される駅におけるシステムの概略図である。
【図２３】図２２に示す駅におけるシステムで使用される切符の外観図である。
【図２４】図２３に示す切符に内蔵された無線タグのメモリ部に記録される情報を示す図である。
【符号の説明】
【０１１９】
１ａ,１ｂ,１ｃ,１ｄ,１ｅ,１ｆ，６ａ,…,６ｎ  画像受信端末
１ａｐ,…,１ｆｐ,６ａｐ,…,６ｎｐ  プリンタ
２ａ,…２ｎ  画像送信端末
３  画像サーバ
４ａ,４ｂ，４ｃ  チェックアウト端末
５ａ,・・・,５ｅ，６５ａ,・・・,６５ｅ，７８ａ,・・・,７８ｅ  案内板
１０  デジタルカメラ
１０＿１ａ  撮影レンズ
１０＿１  ズーム鏡胴
１０＿２  フラッシュ発光装置
１０＿３  フラッシュ調光センサ
１０＿４  光学式ファインダ対物窓
１０＿５  電源スイッチ
１０＿６  イルミネーションランプ
１０＿７  シャッタボタン
１０＿８  マイクロホン
１０＿９  スピーカ
１０＿１０  ＵＳＢ端子
１０＿１１  外部電源端子
１０＿２２  光学式ファインダ接眼窓
１０＿２３  ファインダランプ
１０＿２４  モードスイッチ
１０＿２５  マクロボタン
１０＿２６  ズームボタン
１０＿２７  フラッシュボタン
１０＿２８  液晶モニタ
１０＿２９  ＭＥＮＵ／ＯＫボタン
１０＿３０  ＢＡＣＫボタン
１０＿３１  ＤＩＳＰボタン
１０＿３２  フォトモードボタン
１０＿３３  収容蓋
１０＿３４  ストラップ取付部
１０＿４１  撮像素子
１０＿４２  アナログ信号処理部
１０＿４３  Ａ／Ｄコンバータ
１０＿４４デジタル信号処理部
１０＿４５  ＲＯＭ
１０＿４６  ＣＰＵ
１０＿４７  ＡＥ／ＡＦ部
１０＿４８  操作部
１０＿４９  メモリ
１０＿５０  メモリカード
１０＿５１  Ｉ／Ｆ部
１０＿５２  バッテリ
２０  クレードル
２１  ＡＣ／ＤＣ変換器
２２  充電回路
２３，２４  ＵＳＢコネクタ
３０  貸出票
３１  無線タグ
３０ａ  表面部材
３０ｂ  裏面部材
３２  基板
３３  半導体回路
３３＿１  送受信部
３３＿２  制御部
３３＿３  メモリ部
３３＿３ａ，３３＿３ｂ，３３＿３ｃ，３３＿３ｄ  記録部
３３＿４  ＡＣ／ＤＣ部
３４  アンテナ部
４０，４００，５００  送受信器
４１  電磁誘導コイル
４２  送受信部
４３  制御部
４４  Ｉ／Ｆ部
５０  切符
６３，７３  サーバ
６１ａ,…,６１ｆ，７７ａ,…,７７ｃ  情報記録装置
２１０，３１０  バス
２１１，３１１  ＣＰＵ
２１２，３１２  ＲＡＭ
２１３，３１３  ハードディスクコントローラ
２１３ａ，３１３ａ  ハードディスク
２１４，３１４  フレキシブルディスクドライブ
２１４ａ，３１４ａ  フレキシブルディスク
２１５，３１５  ＣＤ−ＲＯＭドライブ
２１５ａ，３１５ａ  ＣＤ−ＲＯＭ
２１６，３１６  マウスコントローラ
２１６ａ，３１６ａ  マウス
２１７，３１７  キーボードコントローラ
２１７ａ，３１７ａ  キーボード
２１８，３１８  ディスプレイコントローラ
２１８ａ，３１８ａ  ＣＲＴディスプレイ
２１９，３１９，３２０  通信用ボード
２２０  送受信器Ｉ／Ｆ部
２２１  ＵＳＢＩ／Ｆ部
４０１  操作パネル
４０２  音声発音部
４０３，５０３  制御部
４０４，５０４  Ｉ／Ｆ部
５０１  表示画面
５０２  入力部
【図１】
2006096014.tif 000003
【図２】
2006096014.tif 000004
【図３】
2006096014.tif 000005
【図４】
2006096014.tif 000006
【図５】
2006096014.tif 000007
【図６】
2006096014.tif 000008
【図７】
2006096014.tif 000009
【図８】
2006096014.tif 000010
【図９】
2006096014.tif 000011
【図１０】
2006096014.tif 000012
【図１１】
2006096014.tif 000013
【図１２】
2006096014.tif 000014
【図１３】
2006096014.tif 000015
【図１４】
2006096014.tif 000016
【図１５】
2006096014.tif 000017
【図１６】
2006096014.tif 000018
【図１７】
2006096014.tif 000019
【図１８】
2006096014.tif 000020
【図１９】
2006096014.tif 000021
【図２０】
2006096014.tif 000022
【図２１】
2006096014.tif 000023
【図２２】
2006096014.tif 000024
【図２３】
2006096014.tif 000025
【図２４】
2006096014.tif 000026